(57)【要約】【課題】収納したアルバムに外力が伝わるのを抑制し、アルバムに変形が生じるのを防止する収納ケースを提供する。【解決手段】収納ケース１０は、（１）それぞれ直線辺を有する表表紙１１及び裏表紙１２と、表表紙１１及び裏表紙１２の直線辺を連結する背表紙１３とを有するカバー体１４と、（２）裏表紙１２の内側に、裏表紙１２の外周から隙間を有して貼着され、内側にアルバム１５が取り出し可能に配置される空間部１７、及び空間部１７に連接し、アルバム１５の取り出し用の切欠き部１８を有する弾力性のある発泡プラスチック製の緩衝枠体２０とを備える。【選択図】図１
0003154566.tif 000002
【実用新案登録請求の範囲】
【請求項１】
（１）それぞれ直線辺を有する表表紙及び裏表紙と、該表表紙及び該裏表紙の直線辺を連結する背表紙とを有するカバー体と、
（２）前記裏表紙の内側に、該裏表紙の外周から隙間を有して貼着され、内側にアルバムが取り出し可能に配置される空間部、及び該空間部に連接し、前記アルバムの取り出し用の切欠き部を有する弾力性のある発泡プラスチック製の緩衝枠体とを備えることを特徴とする収納ケース。
【請求項２】
請求項１記載の収納ケースにおいて、前記アルバムは、平面視して直角四角形であって、該アルバムが配置される前記空間部は直方体に形成されていることを特徴とする収納ケース。
【請求項３】
請求項２記載の収納ケースにおいて、前記空間部は、前記アルバムが配置されていない状態で、平面視して、縦、横がそれぞれ、該アルバムの縦、横の長さと同じ長さ、あるいは、１ｍｍ以内の範囲で短く形成されていることを特徴とする収納ケース。
【請求項４】
請求項１〜３のいずれか１項に記載の収納ケースにおいて、前記表表紙の内側には、紙片を固定する固定部材が設けられていることを特徴とする収納ケース。
【請求項５】
請求項４記載の収納ケースにおいて、前記紙片は直角四角形に形成され、前記固定部材は該紙片の一の直角部が挿入される第１のコーナーポケットと、該直角部の対角に配置された他の直角部が挿入される第２のコーナーポケットとを有することを特徴とする収納ケース。
【請求項６】
請求項４記載の収納ケースにおいて、前記紙片は、平行な対となる縦の直線辺と、丸みをおびて形成された隅部を介して該縦の直線辺に連結され、該縦の直線辺に垂直に配置された対となる横の直線辺とを有し、前記固定部材は前記紙片の向かい合って配置された対となる前記隅部のうち一が挿入される第１のコーナーポケットと、他が挿入される第２のコーナーポケットとを有することを特徴とする収納ケース。
【請求項７】
請求項１〜６のいずれか１項に記載の収納ケースにおいて、前記表表紙の内側に記憶媒体を収容する収容トレイが設けられていることを特徴とする収納ケース。
【請求項８】
請求項７記載の収納ケースにおいて、前記記憶媒体は光ディスクであって、前記収容トレイには、内側に該光ディスクが配置される円形空間部、及び該円形空間部に連接し、該光ディスクの取り外し用の切欠き部を備える弾力性のある発泡プラスチック製の第２の緩衝枠体が設けられていることを特徴とする収納ケース。
【考案の詳細な説明】
【技術分野】
【０００１】
本考案は、アルバムを収納する収納ケースに関する。
【背景技術】
【０００２】
アルバムを収納するケースは、搬送等の際に受ける外力によって、アルバムに変形や、疵が生じないようにアルバムを保護するために用いられ、その具体例が、例えば、特許文献１及び２に開示されている。
【先行技術文献】
【特許文献】
【０００３】
【特許文献１】実公平６−０１２９４９号公報
【特許文献２】実開平６−０５０８７９号公報
【考案の概要】
【考案が解決しようとする課題】
【０００４】
しかしながら、特許文献１及び２においては、紙製又は合成樹脂製の収納ケースの内側と収納ケースに収納されたアルバムとの間には、アルバムを出し入れするための僅かな空間が設けられているにすぎず、収納ケースに外力が加わった場合、その外力が収納ケースを介してアルバムに伝わり易い。そして、アルバムは、表表紙及び裏表紙に比べ四方の側面部が外力により変形が生じ易い構造を有するので、特に、アルバムの側面部を内側に配置する収納ケースの領域（側面部）に対して、外力が加わった場合、アルバムに変形が発生し易いとの問題がある。
本考案はかかる事情に鑑みてなされたもので、外力が加わっても、その外力が収納されているアルバムに伝わるのを抑制し、アルバムに変形が生じるのを防止する収納ケースを提供することを目的とする。
【課題を解決するための手段】
【０００５】
前記目的に沿う本考案に係る収納ケースは、（１）それぞれ直線辺を有する表表紙及び裏表紙と、該表表紙及び該裏表紙の直線辺を連結する背表紙とを有するカバー体と、（２）前記裏表紙の内側に、該裏表紙の外周から隙間を有して貼着され、内側にアルバムが取り出し可能に配置される空間部、及び該空間部に連接し、前記アルバムの取り出し用の切欠き部を有する弾力性のある発泡プラスチック製の緩衝枠体とを備える。
【０００６】
本考案に係る収納ケースにおいて、前記アルバムは、平面視して直角四角形であって、該アルバムが配置される前記空間部は直方体に形成されているのが好ましい。
【０００７】
本考案に係る収納ケースにおいて、前記空間部は、前記アルバムが配置されていない状態で、平面視して、縦、横がそれぞれ、該アルバムの縦、横の長さと同じ長さ、あるいは、１ｍｍ以内の範囲で短く形成されているのが好ましい。
【０００８】
本考案に係る収納ケースにおいて、前記表表紙の内側には、紙片を固定する固定部材が設けられているのが好ましい。
【０００９】
本考案に係る収納ケースにおいて、前記紙片は直角四角形に形成され、前記固定部材は該紙片の一の直角部が挿入される第１のコーナーポケットと、該直角部の対角に配置された他の直角部が挿入される第２のコーナーポケットとを有するのが好ましい。
【００１０】
本考案に係る収納ケースにおいて、前記紙片は、平行な対となる縦の直線辺と、丸みをおびて形成された隅部を介して該縦の直線辺に連結され、該縦の直線辺に垂直に配置された対となる横の直線辺とを有し、前記固定部材は前記紙片の向かい合って配置された対となる前記隅部のうち一が挿入される第１のコーナーポケットと、他が挿入される第２のコーナーポケットとを有することができる。
【００１１】
本考案に係る収納ケースにおいて、前記表表紙の内側に記憶媒体を収容する収容トレイが設けられているのが好ましい。
【００１２】
本考案に係る収納ケースにおいて、前記記憶媒体は光ディスクであって、前記収容トレイには、内側に該光ディスクが配置される円形空間部、及び該円形空間部に連接し、該光ディスクの取り外し用の切欠き部を備える弾力性のある発泡プラスチック製の第２の緩衝枠体が設けられているのが好ましい。
【考案の効果】
【００１３】
請求項１〜８記載の収納ケースは、内側にアルバムが配置される空間部を有する弾力性のある発泡プラスチック製の緩衝枠体を備えるので、アルバムが空間部に配置された状態で収納ケースに外力が加わっても、その外力の一部又は全部が緩衝枠体に吸収され、アルバムに変形、破損等が生じるのを防止可能である。また、空間部には、アルバムの取り出し用の切欠き部が連接されているので、空間部に配置されたアルバムを取り出す際に、切欠き部に指を挿入し、アルバムの端部に指を掛け止めでき、アルバムを容易に取り出し可能である。
【００１４】
特に、請求項２記載の収納ケースは、アルバムが、平面視して直角四角形であって、空間部は直方体に形成されているので、アルバムが緩衝枠体から部分的に大きな力を受けることなく空間部に収容可能である。
【００１５】
請求項３記載の収納ケースは、空間部が、アルバムが配置されていない状態で、平面視して、縦、横がそれぞれ、アルバムの縦、横の長さと同じ長さ、あるいは、１ｍｍ以内の範囲で短く形成されているので、アルバムは、緩衝枠体と密着配置して角形の空間部に収容され、収納ケースの搬送により振動が生じても、緩衝枠体に対して変位せず、緩衝枠体への衝突による疵等の発生を防止可能である。
【００１６】
請求項４記載の収納ケースは、表表紙の内側に、紙片を固定する固定部材が設けられているので、アルバムの内容に関連したメッセージカードや、写真を表表紙の内側に固定でき、カバー体を開いて、表表紙及び裏表紙の内側を見た者に、アルバムに関連したメッセージカード等を視認させる演出が可能である。
【００１７】
請求項５記載の収納ケースは、固定部材が、直角四角形に形成された紙片の一の直角部が挿入される第１のコーナーポケットと、直角部の対角に配置された他の直角部が挿入される第２のコーナーポケットとを有するので、紙片の４つの直角部を固定する固定部材を採用するのに比べて、材料の使用量を削減し、かつ、紙片を確実に固定可能である。
【００１８】
請求項６記載の収納ケースは、固定部材が、紙片の向かい合って配置された対となる隅部のうち一が挿入される第１のコーナーポケットと、他が挿入される第２のコーナーポケットとを有するので、紙片の４隅を固定するのに比べて、固定部材の製造に使用する材料を少なくした上で、紙片を確実に固定することが可能である。
【００１９】
請求項７記載の収納ケースは、表表紙の内側に記憶媒体を収容する収容トレイが設けられているので、アルバムに関連した画像データ等を収録した記憶媒体をアルバムと共に収納ケースに収容でき、記憶媒体とアルバムを一体にした製品化が可能である。
【００２０】
請求項８記載の収納ケースは、収容トレイには、光ディスクが配置される円型空間部を供える弾力性のある発泡プラスチック製の第２の緩衝枠体が設けられているので、光ディスクを外力から保護することができ、光ディスクの破損、疵の発生を防止可能である。また、光ディスクの取り外し用の切欠き部が設けられているので、収容トレイから光ディスクを取り出す際に、切欠き部に指を挿入して、光ディスクの端部に指を掛け止めでき、光ディスクを容易に取り出し可能である。
【図面の簡単な説明】
【００２１】
【図１】本考案の第１の実施の形態に係る収納ケースを開いた状態の斜視図である。
【図２】本考案の第２の実施の形態に係る収納ケースを開いた状態の斜視図である。
【考案を実施するための形態】
【００２２】
続いて、添付した図面を参照しつつ、本考案を具体化した実施の形態につき説明し、本考案の理解に供する。
図１に示すように、本考案の第１の実施の形態に係る収納ケース１０は、（１）それぞれ直線辺を有する表表紙１１及び裏表紙１２と、表表紙１１及び裏表紙１２の直線辺を連結する背表紙１３とを有するカバー体１４と、（２）裏表紙１２の内側に、裏表紙１２の外周から隙間を有して貼着され、内側に平面視して直角四角形のアルバム１５が取り出し可能に配置される角形空間部１７（空間部の一例）、及び角形空間部１７に連接し、アルバム１５の取り出し用の切欠き部１８を有する弾力性のある発泡プラスチック製の緩衝枠体２０とを備えている。
【００２３】
カバー体１４は、表表紙１１及び裏表紙１２の内側を対向配置して閉じた状態で、角形空間部１７に収容されたアルバム１５を表表紙１１及び裏表紙１２で挟んで覆い、カバー体１４に作用する外力からアルバム１５を保護すると共に、表表紙１１の裏表紙１２に対する角度を広げて開いた状態で、アルバム１５の出し入れを可能にする。なお、閉じた状態のカバー体１４が開かないようにする周知の固定手段（例えば帯状のバンド）を閉じたカバー体１４に取り付けることができる。
【００２４】
カバー体１４は、表表紙１１、裏表紙１２及び背表紙１３の各芯材となる厚み１〜５ｍｍ（例えば２ｍｍ）の３片のダンボール紙を備え、外面（カバー体１４が閉じた状態で外側に配置される面）の全体及び内面の外周領域を、芯材のダンボール紙に貼着された一枚のカバーシート２１で覆われている。なお、カバーシート２１は、ビニールレザー又は布で形成してもよいし、フィルムでコーティングされた化粧紙で形成してもよい。また、カバー体１４の内側には、カバーシート２１及び芯材のダンボール紙に貼り付けられ、紙又は布を素材とし、カバー体１４の内面を装飾する一枚の見返し２２が設けられている。
【００２５】
カバー体１４の表側のカバーシート２１には、メッセージや模様を印刷することができ、見栄えのよい外観を演出可能である。
また、表表紙１１と背表紙１３及び裏表紙１２と背表紙１３の接合部は、カバーシート２１及び見返し２２を有して構成され、それぞれ折り目が形成されているので、表表紙１１は、裏表紙１２に対して容易に回動することができる。
【００２６】
表表紙１１及び裏表紙１２は、それぞれ平面視して長さ２５０〜３５０ｍｍの長辺、及び長さ１２０〜１８０ｍｍの短辺から形成される長方形であり、表表紙１１の一の長辺（直線辺）、及び裏表紙１２の一の長辺（直線辺）は、それぞれ背表紙１３を介して連結される。
【００２７】
表表紙１１の内側には、直角四角形の一例である長方形に形成された紙片２３を固定する固定部材２４が設けられている。そして、紙片２３に、アルバム１５に関連した内容の、例えば、メッセージカードや、写真等を採用することにより、カバー体１４を開いた者が、角形空間部１７に収容されているアルバム１５とそのアルバム１５に関連した内容の紙片２３を一目で確認できるように、収納ケース１０の内側を演出することが可能である。
固定部材２４は、紙材や、透明色のビニール材等を素材として形成された第１、第２のコーナーポケット２５、２６を有し、第１のコーナーポケット２５には、紙片２３の４つの直角部のうち一の直角部が挿入され、第２のコーナーポケット２６には、第１のコーナーポケット２５に挿入される直角部の対角に配置された他の直角部が挿入される。
【００２８】
裏表紙１２の内側に見返し２２を介して貼着された緩衝枠体２０は、弾力性を有する発泡プラスチック、例えば発泡ポリウレタンにより形成されており、その厚みは、アルバム１５の厚みよりも５ｍｍ以下の範囲で厚く、角形空間部１７にアルバム１５が収容された状態で、表表紙１１又は裏表紙１２に外力が加わっても、その外力の全てもしくは一部は、アルバム１５に伝わらずに緩衝枠体２０で吸収され、アルバム１５の変形を防止することができる。
そして、緩衝枠体２０を構成する四方の辺部は、平面視して１〜１０ｃｍの幅を有し、閉じられた状態のカバー体１４の側部（表表紙１１及び裏表紙１２が配置されていない部分）に対して外力が加わっても、その外力の全てもしくは一部は、緩衝枠体２０に吸収され、角形空間部１７に配置されたアルバム１５に変形が生じるのを防止する。
【００２９】
また、角形空間部１７は、直方体に形成され、アルバム１５が配置されていない状態で、平面視して、縦、横がそれぞれ、アルバム１５の縦、横の長さと同じ長さか、あるいは、１ｍｍ以内の範囲で短く形成されており、アルバム１５は、緩衝枠体２０に密着配置して角形空間部１７に収容された状態となる。
従って、収納ケース１０の搬送により振動が生じても、アルバム１５は、角形空間部１７内で変位せず、アルバム１５に疵が発生するのを防止できる。なお、緩衝枠体２０は収縮性を有しており、角形空間部１７の縦、横がアルバム１５に比べ短く形成されている場合、緩衝枠体２０の内側、即ち角形空間部１７を広げることができるので、アルバム１５の角形空間部１７への収容は、容易に行うことが可能である。
【００３０】
角形空間部１７に連接して切欠き部１８が設けられているので、角形空間部１７からのアルバム１５の取り出しの際に、切欠き部１８へ指を入れ、アルバム１５の端部に指を掛け止めすることができ、アルバム１５を容易に取り出すことが可能である。なお、切欠き部１８は、角形空間部１７に表表紙２７を上にして配置されたアルバム１５の、変形が生じにくい背表紙２８に指を掛け止めできる位置に配置されており、アルバム１５に掛け止めした指から加えられる力により、アルバム１５に変形が生じるのを防止している。
【００３１】
次に、本考案の第２の実施の形態に係る収納ケース４０について説明する。
なお、収納ケース１０と同一の構成要素については同一の符号を付して詳しい説明を省略する。
図２に示すように、収納ケース４０には、表表紙１１の内側に記憶媒体の一例である光ディスク４２（例えばＣＤ、ＤＶＤ）を収容する収容トレイ４３が設けられている。
【００３２】
収容トレイ４３には、内側に光ディスク４２が配置される円形空間部４４、及び円形空間部４４に連接し、光ディスク４２の取り外し用の切欠き部４５を備える弾力性のある発泡プラスチック製の第２の緩衝枠体４５ａが設けられている。
円形空間部４４は、光ディスク４２の厚みより１〜５ｍｍの範囲で深く、かつ、円形空間部４４に配置された光ディスク４２の外周部との間に、０．５〜４ｍｍの範囲の隙間が設けられるように形成されている。
また、円形空間部４４の中央には、表表紙１１の内側に立設され、光ディスク４２を固定するプラスチック製の固定突起部４６が配置されている。
【００３３】
そして、円形空間部４４の外周部に連接して、切欠き部４５が設けられているので、円形空間部４４に収容された光ディスク４２を円形空間部４４から取り出す際、指を切欠き部４５に挿入し、光ディスク４２の端部に指を掛け止めできるので、光ディスク４２を容易に取り出すことができる。また、第２の緩衝枠体４５ａは、発泡プラスチック製のため、弾力性を有し、円形空間部４４に光ディスク４２を配置した状態で外力が加わっても、その外力の一部又は全部を吸収することができ、光ディスク４２の破損や、疵の発生を防止可能である。
表表紙１１の内側には、収容トレイ４３の配置領域と隙間を有して紙片４７（例えば、メッセージカード、写真）を固定する固定部材４８が設けられている。
固定部材４８は、紙材や、透明色のビニール材で形成された第１、第２のコーナーポケット５０、５１を有し、第１のコーナーポケット５０には、紙片４７の４つの直角部のうち一の直角部が挿入され、第２のコーナーポケット５１には、第１のコーナーポケット５０に挿入される直角部の対角に配置された他の直角部が挿入される。
【００３４】
また、表表紙１１の内側には、紙片４７の配置領域を間に挟んで収容トレイ４３の配置領域とは反対側の位置に高さ調整部材５２、５３が設けられている。ここで、高さ調整部材５２、５３は、第２の緩衝枠体４５ａと同一の厚みを有し、収容トレイ４３及び高さ調整部材５２、５３は、カバー体１４が閉じられた状態で、緩衝枠体２０を介して表表紙１１と裏表紙１２とを平行に保つので、表表紙１１及び裏表紙１２に変形が生じるのを防ぐことができる。
【００３５】
以上、本考案の実施の形態を説明したが、本考案は、上記した形態に限定されるものでなく、要旨を逸脱しない条件の変更等は全て本考案の適用範囲である。
例えば、表表紙、裏表紙及び背表紙の芯材には、厚紙でなく合成樹脂を採用してもよく、また、表表紙の内側には、紙片を固定する固定部材を設けずに、光ディスクを収容する収容トレイのみを設けることもできる。
更に、本考案の実施の形態では、表表紙及び裏表紙を平面視して長方形に形成しているが、一の直線辺を備える他の形状であればよく、例えば、正方形、台形、三角形、半円に形成することもできる。
【００３６】
そして、アルバムの形状についても、平面視して長方形に限らず、一の直線辺を備える他の形状であればよく、例えば、正方形、台形、三角形、半円に形成することができる。
また、記憶媒体としては、光ディスクではなく、ＵＳＢメモリ、ＳＤメモリカード、メモリスティックを採用することもできる。
また、紙片の形状は直角四角形に限らず、平行な対となる縦の直線辺と、丸みをおびて形成された隅部を介して縦の直線辺に連結され、縦の直線辺に垂直に配置された対となる横の直線辺とを有して形成されていてもよく、その場合、紙片の向かい合って配置された対となる隅部のうち一を第１のコーナーポケットに挿入し、他を第２のコーナーポケットに挿入して、紙片を固定することが可能である。
【符号の説明】
【００３７】
１０：収納ケース、１１：表表紙、１２：裏表紙、１３：背表紙、１４：カバー体、１５：アルバム、１７：角形空間部、１８：切欠き部、２０：緩衝枠体、２１：カバーシート、２２：見返し、２３：紙片、２４：固定部材、２５：第１のコーナーポケット、２６：第２のコーナーポケット、２７：表表紙、２８：背表紙、４０：収納ケース、４２：光ディスク、４３：収容トレイ、４４：円形空間部、４５：切欠き部、４５ａ：第２の緩衝枠体、４６：固定突起部、４７：紙片、４８：固定部材、５０：第１のコーナーポケット、５１：第２のコーナーポケット、５２、５３：高さ調整部材
【図１】
0003154566.tif 000003
【図２】
0003154566.tif 000004